(57)【特許請求の範囲】
【請求項１】
交通用のセンシング装置を支持アームに取り付ける固定用金具であって、
前記センシング装置を取り付けるアングル部材と、
金属製の帯状のバンドと、
前記バンドを前記支持アームに巻き付けて固定する締結部と、
前記バンドと前記アングル部材とを連結する連結部材と、
前記バンドに巻き付け方向に沿って形成され、かつ、前記締結部による固定に用いられる複数の開口部と、
を備え、
前記開口部は、前記支持アームに巻き付け固定されたときに、回転を防止する回転防止形状を備えることを特徴とする固定用金具。
【発明の詳細な説明】
【技術分野】
【０００１】
本発明は、固定用金具に係り、特に、超音波感知器や画像感知器、光ビーコンなどの交通関連のセンシング装置を支柱に固定するために使用する固定用金具に関する。
【背景技術】
【０００２】
超音波感知器や画像感知器、光ビーコンなどの交通関連のセンシング装置は、一般には既存の信号機や電柱に設置される。取り付けの際に用いられる金具として、例えば、外形が半円形状の一対の金属製の挟持バンドを用いて円柱状の支持アームにボルトで固定するタイプの取付金具が知られている（特許文献１参照）。この種の金属製の挟持バンドでは、取り付け対象となる複数のアーム径に対応し、複数種類の取付金具が予め標準サイズとして用意されている。
【先行技術文献】
【特許文献】
【０００３】
【特許文献１】特開２００８−２０９８５号公報
【発明の概要】
【発明が解決しようとする課題】
【０００４】
ところで、標準サイズ以外のアーム径の支持アーム等に感知器等を設置する場合は、それぞれのアーム径によって何種類かの取付金具を用意し対応することが多い。これらの取付金具の選択は、設計担当部署から図番指示のもと工場側で製造及び出荷の対応を行う。しかし、種類が複数あるために、指示ミスや製造出荷ミスなどヒューマンエラーの可能性があった。また、受注から出荷まで納期を短縮するためにも、設計担当部署からの具体的な指示がなくても工場側で出荷対応できることが望まれていた。
【０００５】
本発明は、このような状況に鑑みなされたものであって、上記課題を解決する技術を提供するものである。
【課題を解決するための手段】
【０００６】
本発明は、交通用のセンシング装置を支持アームに取り付ける固定用金具であって、前記センシング装置を取り付けるアングル部材と、金属製の帯状のバンドと、前記バンドを前記支持アームに巻き付けて固定する締結部と、前記バンドと前記アングル部材とを連結する連結部材と、前記バンドに巻き付け方向に沿って形成され、かつ、前記締結部による固定に用いられる複数の開口部と、を備え、前記開口部は、前記支持アームに巻き付け固定されたときに、回転を防止する回転防止形状を備える。
【発明の効果】
【０００７】
本発明によると、交通用のセンシング装置を支持アームに取り付ける固定用金具において、支持アームの径に柔軟に対応して取り付け可能な技術を提供できる。
【図面の簡単な説明】
【０００８】
【図１】本実施形態に係る、超音波感知器がセンサ取付金具を用いて支持アームに取り付けられた状態を示した側面図である。
【図２】本実施形態に係る、超音波感知器がセンサ取付金具を用いて支持アームに取り付けられた状態を示した上面図である。
【図３】本実施形態に係る、バンドの一部側面図である。
【図４】本実施形態の変形例に係る、バンドの開口に着目して示した図である。
【図５】本実施形態の変形例に係る、バンドの一部側面図である。
【発明を実施するための形態】
【０００９】
次に、本発明を実施するための形態（以下、単に「実施形態」という）を、図面を参照して具体的に説明する。
【００１０】
図１は、超音波感知器６０がセンサ取付金具１０を用いて支持アーム９０に取り付けられた状態を示した側面図である。また、図２は、その状態の上面図を示している。図３は、バンド２０の側面形状の一部を示している。
【００１１】
支持アーム９０は、例えば、水平方向に延びる構造を呈しており、信号灯器等の交通用装置が設置されている。超音波感知器６０は、支持アーム９０にセンサ取付金具１０を用いて設置されている。
【００１２】
センサ取付金具１０は、バンド２０と、バンドアングル連結金具４０と、センサ取付アングル５０とを備える。
【００１３】
センサ取付アングル５０は、側面視で逆Ｌ字状の鋼材で形成されている。具体的には、センサ取付アングル５０は、バンドアングル連結金具４０に取り付けられ上方向に延びる垂直部５１と、垂直部５１の上端から前方向に延びる上辺部５２と、上辺部５２の先端において下方向に延びる吊り下げ部５３とを備えて形成されている。吊り下げ部５３の下側端部に超音波感知器６０が下方向を向けて取り付けられている。
【００１４】
バンド２０は、主に鋼材で形成されており、支持アーム９０への取り付け手段として用いられる。具体的には、バンド２０は、帯状のバンド本体２１と、その一端に取り付けられたバンド締結部３０とを備える。
【００１５】
バンド本体２１は、巻き付け方向に沿って所定ピッチで複数の開口２２を備えている。開口２２は、ここでは、長方形となっている。バンド本体２１の一端側はストッパー取付部２５となっており、バンド締結部３０が設けられている。
【００１６】
バンド締結部３０は、掛具３１と、図３に示すように側面視で略逆Ｕ字形状のストッパー３２とを備える。ストッパー３２には、挿通するように掛具３１が取り付けられる。掛具３１の先端は係止爪３３となっており、この係止爪３３がバンド２０の開口２２に係止される。具体的には、隣合う開口２２間が若干上方向に凸状に形成された係止部２３となっている。
【００１７】
支持アーム９０にバンド２０を巻き付けて、その係止部２３（開口２２）にストッパー３２が係止する。そして、係止爪３３の反対側に形成されたボルト部３４にナット３５を嵌め込み締め込むことでバンド本体２１を縮径させる。
【００１８】
バンドアングル連結金具４０は、略直方形の筒状形状を呈しており、センサ取付アングル５０とバンド２０とを連結する。ここでは、左右方向が開口となっており、前面にセンサ取付アングル５０が取り付けられている。背面は、上下中央部分が内部側に谷状（三角状）に凹んでおり、この部分が支持アーム９０に押しつけられる。
【００１９】
上面４３と下面４４とには、バンド挿通口４５が形成されており、バンド２０のバンド本体２１が挿通可能になっている。すなわち、バンド２０をバンドアングル連結金具４０のバンド挿通口４５に挿通した後に、バンド本体２１を縮径させることで、バンド２０を支持アーム９０に確実に固定することができる。
【００２０】
このように、バンド２０を用いて超音波感知器６０を支持アーム９０に固定することで、一種類のセンサ取付金具１０で、複数のアーム径に柔軟に対応することができる。特に、標準的に用いられるサイズ以外の特殊径の支持アーム９０に超音波感知器６０を固定する場合に、別途設計して製造する必要がない。
【００２１】
特に、支持アーム９０は、管理する地方公共団体等によって異なってくる場合や、既存の古い設備等の場合もあり、標準的なサイズでない場合もある。しかし、本実施形態によると、１種類のセンサ取付金具１０で複数種類のアーム径に対応することができるため、ヒューマンエラーの防止、管理工数の低減、納期短縮を実現することができる。
【００２２】
以上、本発明を実施形態をもとに説明した。この実施形態は例示であり、それらの各構成要素の組み合わせにいろいろな変形例が可能なこと、また、そうした変形例も本発明の範囲にあることは当業者に理解されるところである。
【００２３】
図４は、変形例のバンド２０ａを示した一部平面図であり、バンド本体２１に着目して示している。ストッパー取付部２５側の領域２１ａでは。長さＬ１１の開口２２がピッチＬ１２で形成されている。一方、ストッパー取付部２５側と反対側、すなわちバンド本体２１の端部側の領域２１ｂでは、ストッパー取付部２５側の領域２１ａの開口２２より短い長さＬ１３の開口２２が形成されている。ピッチＬ１２は同じである。これは、アーム径が小さい場合は、ストッパー取付部２５側の領域２１ａの開口２２がバンド締結に用いられるが、その場合、バンド本体２１の曲率半径が小さくなり、曲がりが大きくなる。そこで、バンド本体２１が曲がりやすいように、開口２２を大きく形成している。
【００２４】
図５は、バンド２０ｂの一部側面図である。バンド本体２１のバンド裏面２１ａに、回転防止爪２６が設けられている。バンド本体２１が締結されると、支持アーム９０に回転防止爪２６が食い込み回転が防止される。
【符号の説明】
【００２５】
１０  センサ取付金具
２０、２０ａ、２０ｂ  バンド
２１  バンド本体
２１ａ  バンド裏面
２２  開口
２３  係止部
２５  ストッパー取付部
２６  回転防止爪
３０  バンド固定部
３１  掛具
３２  ストッパー
３３  係止爪
３４  ボルト部
３５  ナット
４０  バンドアングル連結金具
４１  アングル固定面
４２  支柱接触部
４３  上面
４４  下面
４５  バンド挿通口
５０  センサ取付アングル
５１  垂直部
５２  上辺部
５３  吊り下げ部
６０  超音波感知器
９０  支持アーム
【図１】
0006564309.tif 000002
【図２】
0006564309.tif 000003
【図３】
0006564309.tif 000004
【図４】
0006564309.tif 000005
【図５】
0006564309.tif 000006